【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
水銀吸着剤であって、
吸着性物質と
添加剤混合物と
を有し、前記添加剤混合物が、
ハロゲン源と
リン酸アンモニウム塩、リン酸アンモニウム混合塩、ピロリン酸アンモニウム、リン酸水素アンモニウム、リン酸二水素アンモニウム、及びこれらの組み合わせからなる群から選択される非ハロゲン系窒素含有化合物と
を有する、水銀吸着剤。
【請求項２】
請求項１記載の水銀吸着剤において、前記非ハロゲン系窒素含有化合物が、リン酸二アンモニウム、リン酸一アンモニウム、ピロリン酸アンモニウム、及びそれらの組み合わせからなる群から選択される、水銀吸着剤。
【請求項３】
請求項１記載の水銀吸着剤において、前記ハロゲン源が無機ハロゲン塩、または臭素、ヨウ素、もしくは塩素を有する、水銀吸着剤。
【請求項４】
請求項３記載の水銀吸着剤において、前記無機ハロゲン塩が、次亜塩素酸カルシウム、次亜臭素酸カルシウム、次亜ヨウ素酸カルシウム、塩化カルシウム、臭化カルシウム、ヨウ化カルシウム、塩化マグネシウム、臭化マグネシウム、ヨウ化マグネシウム、塩化ナトリウム、臭化ナトリウム、ヨウ化ナトリウム、塩化アンモニウム、臭化アンモニウム、ヨウ化アンモニウム、三塩化カリウム、三臭化カリウム、三ヨウ化カリウム、及びそれらの組み合わせから選択される、水銀吸着剤。
【請求項５】
請求項１記載の水銀吸着剤において、前記ハロゲン源が窒素性ハロゲン塩を有する、水銀吸着剤。
【請求項６】
請求項５記載の水銀吸着剤において、前記窒素性ハロゲン塩が、塩素、臭素、ヨウ素、もしくはフッ素、またはそれらの組み合わせと、アンモニウム、アンモニア、アミン、アミド、イミン、第四級アンモニウム、及びそれらの組み合わせとを有する、水銀吸着剤。
【請求項７】
請求項１記載の水銀吸着剤において、前記ハロゲン源が、塩素、臭素、ヨウ素、臭化カルシウム、塩化アンモニウム、臭化アンモニウム、ヨウ化アンモニウム、及びそれらの組み合わせからなる群から選択される、水銀吸着剤。
【請求項８】
請求項１記載の水銀吸着剤において、前記添加剤混合物が、非ハロゲン系窒素含有化合物をハロゲン源に対して約３：１、約２：１、約１：１、約１：２、または約１：３の比で有する、水銀吸着剤。
【請求項９】
請求項１記載の水銀吸着剤において、前記水銀吸着性剤中の添加剤混合物の合計量が、前記水銀吸着剤の合計重量に対して約０．５重量％〜約４０重量％である、水銀吸着剤。
【請求項１０】
請求項１記載の水銀吸着剤において、ハロゲン塩の合計量が、前記水銀吸着剤の合計重量に対して約１重量％〜約２０重量％である、水銀吸着剤。
【請求項１１】
請求項１記載の水銀吸着剤において、非ハロゲン系窒素含有化合物の合計量が、前記水銀吸着剤の合計重量に対して約１重量％〜約２０重量％である、水銀吸着剤。
【請求項１２】
さらにアルカリ性添加剤を有する、請求項１記載の水銀吸着剤。
【請求項１３】
請求項１２記載の水銀吸着剤において、前記アルカリ性添加剤が、炭酸カルシウム、酸化カルシウム、水酸化カルシウム、炭酸マグネシウム、水酸化マグネシウム、酸化マグネシウム、炭酸ナトリウム、重炭酸ナトリウム、セスキ炭酸ナトリウム二水和物、及びこれらの組み合わせからなる群から選択される、水銀吸着剤。
【請求項１４】
請求項１記載の水銀吸着剤において、前記水銀吸着剤が吸着性物質と添加剤混合物との乾燥混合剤を有する、水銀吸着剤。
【請求項１５】
請求項１記載の水銀吸着剤において、前記吸着性物質が、前記添加剤混合物を含浸させたものである、水銀吸着剤。
【請求項１６】
請求項１記載の水銀吸着剤において、前記水銀吸着剤が約１μｍ〜約３０μｍの平均粒子径を有する、水銀吸着剤。
【請求項１７】
請求項１記載の水銀吸着剤において、前記吸着性物質が、炭素ベースの吸着性剤と非炭素ベースの吸着性剤とからなる群から選択される、水銀吸着剤。
【請求項１８】
請求項１記載の水銀吸着剤において、前記吸着性物質が、炭素質の木炭、活性炭、黒鉛、グラフェン、カーボンブラック、再活性炭、ゼオライト、シリカ、シリカゲル、アルミナ粘土、及びこれらの組み合わせからなる群から選択される、水銀吸着剤。
【請求項１９】
水銀排出を低下させる方法であって、
排ガス流中に吸着性物質を注入する工程と、
前記排ガス流中にハロゲン源を注入する工程と、
前記排ガス流中に、リン酸アンモニウム塩、リン酸アンモニウム混合塩、ピロリン酸アンモニウム、リン酸水素アンモニウム、リン酸二水素アンモニウム、及びこれらの組み合わせからなる群から選択される非ハロゲン系窒素含有化合物を注入する工程と
を有し、前記吸着性物質を注入する工程と、前記ハロゲン源を注入する工程と、前記非ハロゲン系窒素含有化合物を注入する工程とが同時に実施される、方法。
【請求項２０】
請求項１９記載の方法において、前記吸着性物質と、前記ハロゲン源と、前記非ハロゲン系窒素含有化合物とが混合されている、方法。
【請求項２１】
請求項１９記載の方法において、少なくとも前記吸着性物質が、空気予熱器よりも前に前記排ガス流中に注入される、方法。
【手続補正２】
【補正対象書類名】明細書
【補正対象項目名】００１０
【補正方法】変更
【補正の内容】
【００１０】
そのようなアルカリ性または反応性作用剤が乾燥吸着剤組成物の一部として用いられる場合、吸着剤注入の箇所において局所的に水銀除去を向上させるのに必要なぶんのみ使用することによりこれらの作用剤による周辺機器の作動への影響を制限し、また水銀除去のための機会を増加させるために多孔性吸着剤の本体内への組み込みを回避する必要がさらにある。前記アルカリ性または反応性作用剤の独立な注入がなおも必要でありうる場合、水銀除去を効果的にかつ周辺機器問題に対する影響は最低限としながら、さもなければ使用されうるそのような作用剤の量を減少させる必要もまたある。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  カナダ国特許出願公開第２０３６７４６号明細書
（特許文献２）  独国特許発明第５８８５３１号明細書
（特許文献３）  欧州特許出願公開第０２８９８０９号明細書
（特許文献４）  特開昭４９−５３５９１号公報
（特許文献５）  特開昭４９−５３５９２号公報
（特許文献６）  米国特許第１，９８４，１６４号明細書
（特許文献７）  米国特許第３，１９４，６２９号明細書
（特許文献８）  米国特許第４，１９６，１７３号明細書
（特許文献９）  米国特許第４，４９１，６０９号明細書
（特許文献１０）  米国特許第４，５００，３２７号明細書
（特許文献１１）  米国特許第４，７０８，８５３号明細書
（特許文献１２）  米国特許第５，３３６，８３５号明細書
（特許文献１３）  米国特許第５，４３５，９８０号明細書
（特許文献１４）  米国特許第５，６９５，７２６号明細書
（特許文献１５）  米国特許第６，５８９，３１８号明細書
（特許文献１６）  米国特許第６，６３８，３４７号明細書
（特許文献１７）  米国特許第６，７１９，８２８号明細書
（特許文献１８）  米国特許第６，８７８，３５８号明細書
（特許文献１９）  米国特許第６，８０８，６９２号明細書
（特許文献２０）  米国特許第６，８１８，０４３号明細書
（特許文献２１）  米国特許第６，８４８，３７４号明細書
（特許文献２２）  米国特許第６，９５３，４９４号明細書
（特許文献２３）  米国特許第６，９６０，３２９号明細書
（特許文献２４）  米国特許第７，４０４，９４０号明細書
（特許文献２５）  米国特許第７，４３５，２８６号明細書
（特許文献２６）  米国特許第７，５１４，０５２号明細書
（特許文献２７）  米国特許第８，０８０，０８８号明細書
（特許文献２８）  米国特許第８，１６８，１４７号明細書
（特許文献２９）  米国特許第８，３０９，０４６号明細書
（特許文献３０）  米国特許出願公開第２００４／０００３７１６号明細書
（特許文献３１）  米国特許出願公開第２００４／００１３５８９号明細書
（特許文献３２）  米国特許出願公開第２００４／００７４３９１号明細書
（特許文献３３）  米国特許出願公開第２００４／０２４４６５７号明細書
（特許文献３４）  米国特許出願公開第２００５／００３９５９８号明細書
（特許文献３５）  米国特許出願公開第２００５／０１４７５４９号明細書
（特許文献３６）  米国特許出願公開第２００６／００４８６４６号明細書
（特許文献３７）  米国特許出願公開第２００６／００５１２７０号明細書
（特許文献３８）  米国特許出願公開第２００６／００９０６４６号明細書
（特許文献３９）  米国特許出願公開第２００６／０２０４４１８号明細書
（特許文献４０）  米国特許出願公開第２００６／０２０５５９２号明細書
（特許文献４１）  米国特許出願公開第２００７／０１２２３２７号明細書
（特許文献４２）  米国特許出願公開第２００７／０１４０９４１号明細書
（特許文献４３）  米国特許出願公開第２００７／０１８０９９０号明細書
（特許文献４４）  米国特許出願公開第２００７／０２３４９０２号明細書
（特許文献４５）  米国特許出願公開第２００８／０１３４８８８号明細書
（特許文献４６）  米国特許出願公開第２００８／０２７４８７４号明細書
（特許文献４７）  米国特許出願公開第２００９／０００７７８５号明細書
（特許文献４８）  米国特許出願公開第２００９／００１０８２８号明細書
（特許文献４９）  米国特許出願公開第２００９／０１３６４０１号明細書
（特許文献５０）  米国特許出願公開第２０１１／００４８２３１号明細書
（特許文献５１）  米国特許出願公開第２０１１／０２５０１１０号明細書
（特許文献５２）  米国特許出願公開第２０１２／０１０００５３号明細書
（特許文献５３）  米国特許出願公開第２０１２／０１８３４５８号明細書
（特許文献５４）  米国特許出願公開第２０１２／０２４４３５５号明細書
（特許文献５５）  国際公開第２００７／１１２２４８号
（特許文献５６）  国際公開第２０１１／１２７３２３号
（特許文献５７）  国際公開第２０１２／０３０５６０号
（非特許文献）
（非特許文献１）  Ｇｌｅｉｓｅｒ  ｅｔ  ａｌ．，"Ｃｏｎｔｒｏｌ  ｏｆ  Ｍｅｒｃｕｒｙ  ｆｒｏｍ  ＭＳＷ  Ｃｏｍｂｕｓｔｏｒｓ  ｂｙ  Ｓｐｒａｙ  Ｄｒｙｅｒ  Ａｂｓｏｒｐｔｉｏｎ  Ｓｙｓｔｅｍｓ  ａｎｄ  Ａｃｔｉｖａｔｅｄ  Ｃａｒｂｏｎ  Ｉｎｊｅｃｔｉｏｎ"，Ｐｒｏｃｅｅｄｉｎｇｓ  ｏｆ  ａｎ  Ｉｎｔｅｒｎａｔｉｏｎａｌ  Ｓｐｅｃｉａｌｔｙ  Ｃｏｎｆｅｒｅｎｃｅ，Ｗｉｌｌｉａｍｓｂｕｒｇ，Ｖｉｒｇｉｎｉａ，Ｍａｒ．１９９３．
（非特許文献２）  Ｇｒａｎｉｔｅ  ｅｔ  ａｌ．，"Ｎｏｖｅｌ  Ｓｏｒｂｅｎｔｓ  ｆｏｒ  Ｍｅｒｃｕｒｙ  Ｒｅｍｏｖａｌ  ｆｒｏｍ  Ｆｌｕｅ  Ｇａｓ"，Ｉｎｄｕｓｔｒｉａｌ  &  Ｅｎｇｉｎｅｅｒｉｎｇ  Ｃｈｅｍｉｓｔｒｙ  Ｒｅｓｅａｒｃｈ（Ａｐｒ．２０００），３９（４）：１０２０−１０２９．
（非特許文献３）  Ｏｆｆｉｃｅ  ｏｆ  Ｉｎｓｐｅｃｔｏｒ  Ｇｅｎｅｒａｌ，Ｅｖａｌｕａｔｉｏｎ  Ｒｅｐｏｒｔ：  Ａｄｄｉｔｉｏｎａｌ  Ａｎａｌｙｓｅｓ  ｏｆ  Ｍｅｒｃｕｒｙ  Ｅｍｉｓｓｉｏｎｓ  Ｎｅｅｄｅｄ  Ｂｅｆｏｒｅ  ＥＰＡ  Ｆｉｎａｌｉｚｅｓ  Ｒｕｌｅｓ  ｆｏｒ  Ｃｏａｌ−Ｆｉｒｅｄ  Ｅｌｅｃｔｒｉｃ  Ｕｔｉｌｉｔｉｅｓ，Ｒｅｐｏｒｔ  Ｎｏ．２００５−Ｐ−００００３，Ｆｅｂ．３，２００５，ｐｐ．１−５４．
（非特許文献４）  Ｗｈｉｔｅ  ｅｔ  ａｌ．"Ｐａｒａｍｅｔｒｉｃ  Ｅｖａｌｕａｔｉｏｎ  ｏｆ  Ｐｏｗｄｅｒｅｄ  Ａｃｔｉｖａｔｅｄ  Ｃａｒｂｏｎ  Ｉｎｊｅｃｔｉｏｎ  ｆｏｒ  Ｃｏｎｔｒｏｌ  ｏｆ  Ｍｅｒｃｕｒｙ  Ｅｍｉｓｓｉｏｎｓ  ｆｒｏｍ  ａ  Ｍｕｎｉｃｉｐａｌ  Ｗａｓｔｅ  Ｃｏｍｂｕｓｔｏｒ，"Ｐａｐｅｒ  Ｎｏ．９２−４０．０６，１９９２  Ａｎｎｕａｌ  Ｍｅｅｔｉｎｇ，Ａｉｒ  ａｎｄ  Ｗａｓｔｅ  Ｍａｎａｇｅｍｅｎｔ  Ａｓｓｏｃｉａｔｉｏｎ，Ｋａｎｓａｓ  Ｃｉｔｙ，Ｍｉｓｓｏｕｒｉ，Ｊｕｎｅ．１９９２．
（非特許文献５）  Ｉｎｔｅｒｎａｔｉｏｎａｌ  Ｓｅａｒｃｈ  Ｒｅｐｏｒｔ／Ｗｒｉｔｔｅｎ  Ｏｐｉｎｉｏｎ  ｄａｔｅｄ  Ｍａｙ  ２２，２０１４  ｒｅｃｅｉｖｅｄ  ｆｏｒ  ｃｏｒｒｅｓｐｏｎｄｉｎｇ  ＰＣＴ／ＵＳ２０１４／０１４６０５．